(57)【要約】【課題】内部抵抗や信号損失率を減少させ、製造工程を単純化することができる、電子部品が実装された基板構造及びその製造方法を提供する。【解決手段】電子部品が実装された基板構造１００は、一面及び該一面に対向する他面を有し、該一面と該他面との間を貫通して形成されるキャビティ１１１が設けられる基板１１０と、基板１１０の一面に設けられる第１の回路パターン１４１及び第２の回路パターン１４２と、キャビティ１１１の内部に挿入され、表面に第１の端子が設けられた第１の電子部品１２０と、キャビティ１１１と第１の電子部品１２０との間の間隙を満たす充填材１３０と、第１の電子部品１２０の第１の端子１２１に設けられるめっき端子１４５と、基板１１０の一面上に実装され、めっき端子１２１に電気的に接続される第２の端子１６１を備える第２の電子部品１６０と、を含む。【選択図】図１
2014086721.tif 000002
【特許請求の範囲】
【請求項１】
一面及び該一面に対向する他面を有し、前記一面と前記他面との間を貫通して形成されるキャビティが設けられる基板と、
前記基板の一面に設けられる第１の回路パターン及び第２の回路パターンと、
前記キャビティの内部に挿入され、表面に第１の端子が設けられた第１の電子部品と、
前記キャビティと前記第１の電子部品との間の間隙を満たす充填材と、
前記第１の電子部品の第１の端子に設けられるめっき端子と、
前記基板の一面上に実装され、前記めっき端子に電気的に接続される第２の端子を備える第２の電子部品と
を含む電子部品が実装された基板構造。
【請求項２】
前記めっき端子と前記第２の端子とは、ソルダを介して直接、接触する、請求項１に記載の電子部品が実装された基板構造。
【請求項３】
前記めっき端子と前記第２の回路パターンとの高さが同じで、
前記第２の端子は、ソルダを介して、前記めっき端子及び前記第２の回路パターンに直接、接触する、請求項１に記載の電子部品が実装された基板構造。
【請求項４】
前記第１の回路パターンを覆う絶縁部をさらに含む、請求項１に記載の電子部品が実装された基板構造。
【請求項５】
前記第２の電子部品と前記基板との間の領域に充填されるモールディング部をさらに含む、請求項１に記載の電子部品が実装された基板構造。
【請求項６】
前記基板の他面に設けられる第３の回路パターン及び第４の回路パターンのうちの少なくともいずれか一つをさらに含む、請求項１に記載の電子部品が実装された基板構造。
【請求項７】
前記充填材は、プラグインキである、請求項１に記載の電子部品が実装された基板構造。
【請求項８】
一面及び該一面に対向する他面を有し、前記一面と前記他面との間を貫通して形成されるキャビティが設けられる基板を提供するステップと、
前記基板の一面に取り外し可能なフィルムを付着させるステップと、
表面に第１の端子が設けられる第１の電子部品を前記キャビティの内部に挿入し、前記取り外し可能なフィルムに前記第１の電子部品を付着させた後、前記キャビティと前記第１の電子部品との間の間隙に充填材を充填し、前記第１の電子部品を固定するステップと、
前記第１の電子部品を固定した後、前記取り外し可能なフィルムを除去するステップと、
前記取り外し可能なフィルムが除去された前記基板の一面に、第１の回路パターン及び第２の回路パターンを形成するステップと、
前記取り外し可能なフィルムが除去された前記第１の端子の表面に、めっき端子を形成するステップと、
少なくとも一つの第２の端子が少なくとも一面に設けられる第２の電子部品の前記第２の端子と前記めっき端子とが電気的に接続されるように、前記第２の電子部品を実装するステップと
を含む電子部品が実装された基板構造の製造方法。
【請求項９】
前記第２の電子部品を実装するステップは、
前記めっき端子と前記第２の端子とがソルダを介して直接接触されるように行われる、請求項８に記載の電子部品が実装された基板構造の製造方法。
【請求項１０】
前記第１の回路パターン及び第２の回路パターンを形成するステップ及び前記めっき端子を形成するステップは、前記めっき端子と前記第２の回路パターンとの高さが同じくなるように同じ工程で行われ、
前記第２の電子部品を実装するステップは、
前記第２の端子が、ソルダを介して前記めっき端子及び前記第２の回路パターンに直接接触されるように行われる、請求項８に記載の電子部品が実装された基板構造の製造方法。
【請求項１１】
前記第２の電子部品と前記基板との間の領域に絶縁樹脂を充填してモールディング部を形成するステップをさらに含む、請求項８に記載の電子部品が実装された基板構造の製造方法。
【請求項１２】
前記充填材は、プラグインキである、請求項８に記載の電子部品が実装された基板構造の製造方法。
【請求項１３】
一面及び該一面に対向する他面を有し、前記一面と前記他面との間を貫通して形成されるキャビティが設けられる基板と、
前記基板の一面に設けられる第１の回路パターン及び第２の回路パターンと、
前記キャビティの内部に一部が挿入され、残りは前記キャビティの外部に突出され、表面に第１の端子が設けられた第１の電子部品と、
前記キャビティと前記第１の電子部品との間の間隙を満たす充填材と、
前記第１の電子部品の第１の端子の上面に設けられる第１の表面処理層と、
前記基板の一面上に実装され、前記第１の表面処理層に電気的に接続される第２の端子を備える第２の電子部品と
を含む電子部品が実装された基板構造。
【請求項１４】
前記第１の電子部品の一面は、前記第２の回路パターンの上面が位する水平面と同じ水平面に位置する、請求項１３に記載の電子部品が実装された基板構造。
【請求項１５】
前記第１の表面処理層と前記第２の端子とは、ソルダを介して直接、接触する、請求項１３に記載の電子部品が実装された基板構造。
【請求項１６】
前記第２の回路パターンの上面に設けられる第２の表面処理層をさらに含み、
前記第２の端子は、ソルダを介して前記第１の表面処理層及び前記第２の回路パターンに直接、接触する、請求項１３に記載の電子部品が実装された基板構造。
【請求項１７】
前記第２の端子の下面に設けられる第３の表面処理層をさらに含み、
前記第３の表面処理層は、ソルダを介して前記第１の表面処理層と直接、接触する、請求項１３に記載の電子部品が実装された基板構造。
【請求項１８】
一面及び該一面に対向する他面を有し、前記一面には、導電性材料から成るシード層が設けられ、前記シード層の上面と前記他面との間を貫通して設けられるキャビティが設けられる基板を提供するステップと、
前記シード層の上面に取り外し可能なフィルムを付着させるステップと、
表面に第１の端子が設けられる第１の電子部品を前記キャビティの内部に挿入し、前記取り外し可能なブイルムに前記第１の電子部品を付着させた後、前記キャビティと前記第１の電子部品との間の間隙に充填材を充填して、前記第１の電子部品を固定するステップと、
前記第１の電子部品を固定した後、前記取り外し可能なフィルムを除去するステップと、
前記取り外し可能なフィルムが除去された前記シード層をパターニングして第１の回路パターン及び第２の回路パターンを形成するステップと、
前記取り外し可能なフィルムが除去された前記第１の端子の表面に、第１の表面処理層を形成するステップと、
少なくとも一つの第２の端子が少なくとも一面に設けられる第２の電子部品の前記第２の端子、及び、前記第１の表面処理層が電気的に接続されるように、前記第２の電子部品を実装するステップと
を含む電子部品が実装された基板構造の製造方法。
【請求項１９】
前記第２の電子部品を実装するステップは、
前記第１の表面処理層と前記第２の端子とが、ソルダを介して直接、接触するように行われる、請求項１８に記載の電子部品が実装された基板構造の製造方法。
【請求項２０】
前記第２の回路パターンの上面に第２の表面処理層を形成するステップをさらに含み、
前記第１の表面処理層と前記第２の表面処理層との上面は、同一の水平面上に位置し、
前記第２の電子部品を実装するステップは、前記第１の表面処理層と前記第２の表面処理層とが、ソルダを介して前記第２の端子に直接、接触するように行われる、請求項１８に記載の電子部品が実装された基板構造の製造方法。
【請求項２１】
前記第２の端子の下面に第３の表面処理層を形成するステップをさらに含み、
前記第２の電子部品を実装するステップは、
前記第３の表面処理層が、ソルダを介して前記第１の表面処理層に直接、接触するように行われる、請求項１８に記載の電子部品が実装された基板構造の製造方法。
【請求項２２】
前記第１の表面処理層は、金ベースＳＦコーティング層である、請求項１８に記載の電子部品が実装された基板構造の製造方法。
【発明の詳細な説明】
【技術分野】
【０００１】
本発明は、電子部品が実装された基板構造及びその製造方法に関する。
【背景技術】
【０００２】
最近、電子機器の小型化及びスリム化の傾向が加速化している中、基板を複層化し、基板内に各種の電子部品を内蔵する技術が提案されている。
【０００３】
基板内に内蔵される電子部品には、インダクタ、キャパシタなどの受動素子、IＩＣチップなどの能動素子が挙げられる。
【０００４】
一方、基板内に電子部品を内蔵すると共に、該基板の表面にも電子部品が表面実装され、該内蔵された電子部品と該表面実装された電子部品とが電気的に接続されるような形態の製品も市販されている。
【０００５】
一例として、特許文献１には、基板の表面に実装される半導体チップと該基板内に埋め込まれる半導体チップとが１段以上のビア及び配線パターンを用いて互いに接続される構造が示されている。
【先行技術文献】
【特許文献】
【０００６】
【特許文献１】韓国公開特許第２００５-００３１３６４号公報
【発明の概要】
【発明が解決しようとする課題】
【０００７】
しかし、特許文献１などを含む従来の構造では、基板の表面に実装される電子部品と該基板内に内蔵される電子部品とがビアなどによって接続されているため、相互接続される電子部品間の電流移動経路が長く、内部抵抗が増加し、相互接続される電子部品間の信号伝達の際、信号の損失が発生するだけでなく、ビアなどを形成して接続する工程が必要になるため、工程の単純化及び信頼性に限界があった。
【０００８】
本発明は上記の問題点に鑑みて成されたものであって、内部抵抗や信号損失率を減少させ、製造工程を単純化することができる、電子部品が実装された基板構造を提供することに、その目的がある。
【０００９】
また、本発明の他の目的は、内部抵抗や信号損失率を減少させ、製造工程を単純化することができる、電子部品が実装された基板構造の製造方法を提供することにある。
【課題を解決するための手段】
【００１０】
上記の目的を解決するために、本発明の一実施形態による電子部品が実装された基板構造は、一面及び該一面に対向する他面を有し、前記一面と前記他面との間を貫通して形成されるキャビティが設けられた基板と、前記基板の一面に設けられる第１の回路パターン及び第２の回路パターンと、前記キャビティの内部に挿入され、表面に第１の端子が設けられた第１の電子部品と、前記キャビティと前記第１の電子部品との間の間隙を満たす充填材と、前記第１の電子部品の第１の端子に設けられるめっき端子及び前記基板の一面上に実装され前記めっき端子に電気的に接続される第２の端子を備える第２の電子部品と、を含む。
【００１１】
一実施形態によれば、前記めっき端子と前記第２の端子とは、ソルダを介して直接、接触する。
【００１２】
また、一実施形態によれば、前記めっき端子と、前記第２の回路パターンとの高さが同じ前記第２の端子とは、ソルダを介して、前記めっき端子及び前記第２の回路パターンに直接、接触する。
【００１３】
また、一実施形態によれば、前記第１の回路パターンを覆う絶縁部をさらに含む。
【００１４】
また、一実施形態によれば、前記第２の電子部品と前記基板との間の領域に充填されるモールディング部をさらに含む。
【００１５】
また、一実施形態によれば、前記基板の他面に設けられる第３の回路パターン及び第４の回路パターンのうちの少なくともいずれか一つをさらに含む。
【００１６】
また、一実施形態によれば、前記充填材はプラグインキである。
【００１７】
上記の目的を解決するために、本発明の他の実施形態による電子部品が実装された基板構造の製造方法は、一面及び該一面に対向する他面を有し、前記一面と前記他面との間を貫通して形成されるキャビティが設けられる基板を提供するステップと、前記基板の一面に取り外し可能なフィルムを付着するステップと、表面に第１の端子が設けられる第１の電子部品を前記キャビティの内部に挿入し、前記取り外し可能なフィルムに前記第１の電子部品を付着した後、前記キャビティと前記第１の電子部品との間の間隙に充填材を充填して前記第１の電子部品を固定するステップと、前記第１の電子部品が固定された後、前記取り外し可能なフィルムを除去するステップと、前記取り外し可能なフィルムが除去された前記基板の一面に第１の回路パターン及び第２の回路パターンを形成するステップと、前記取り外し可能なフィルムが除去された前記第１の端子の表面にめっき端子を形成するステップと、少なくとも一つの第２の端子が少なくとも一面に設けられる第２の電子部品の前記第２の端子及び前記めっき端子が電気的に接続されるように前記第２の電子部品を実装するステップと、を含む。
【００１８】
一実施形態によれば、前記第２の電子部品を実装するステップは、前記めっき端子と前記第２の端子とが、ソルダを介して直接、接触するように行われる。
【００１９】
また、一実施形態によれば、前記第１の回路パターン及び前記第２の回路パターンを形成するステップ及び前記めっき端子を形成するステップは、前記めっき端子と前記第２の回路パターンとの高さが同じくなるように同じ工程で行われ、前記第２の電子部品を実装するステップは、前記第２の端子が、ソルダを介して前記めっき端子及び前記第２の回路パターンに直接、接触するように行われる。
【００２０】
また、一実施形態によれば、前記第２の電子部品と前記基板との間の領域に絶縁樹脂を充填してモールディング部を形成するステップをさらに含む。
【００２１】
また、一実施形態によれば、前記充填材は、プラグインキである。
【００２２】
また、本発明の他の実施形態による電子部品が実装された基板構造は、一面及び該一面に対向する他面を有し、前記一面と前記他面との間を貫通して設けられるキャビティが設けられる基板と、前記基板の一面に設けられる第１の回路パターン及び第２の回路パターンと、前記キャビティの内部に一部が挿入され、残りは前記キャビティの外部に突出し、表面に第１の端子が設けられた第１の電子部品と、前記キャビティ及び前記第１の電子部品の間の間隙を満たす充填材と、前記第１の電子部品の第１の端子の上面に設けられる第１の表面処理層と、前記基板の一面上に実装され、前記第１の表面処理層に電気的に接続される第２の端子を備える第２の電子部品と、を含む。
【００２３】
一実施形態によれば、前記第１の電子部品の一面は、前記第２の回路パターンの上面が位する水平面と同じ水平面に位置する。
【００２４】
また、一実施形態によれば、前記第１の表面処理層と前記第２の端子とは、ソルダを介して直接、接触する。
【００２５】
また、一実施形態によれば、前記第２の回路パターンの上面に設けられる第２の表面処理層をさらに含み、前記第２の端子は、ソルダを介して前記第１の表面処理層及び前記第２の回路パターンに直接、接触する。
【００２６】
また、前記第２の端子の下面に設けられる第３の表面処理層をさらに含み、前記第３の表面処理層は、ソルダを介して前記第１の表面処理層と直接、接触する。
【００２７】
また、上記の目的を解決するために、本発明のさらに他の実施形態による電子部品が実装された基板構造の製造方法は、一面及び該一面に対向する他面を有し、前記一面には、導電性材料から成るシード層が設けられ、前記シード層の上面と前記他面との間を貫通して設けられるキャビティが設けられる基板を提供するステップと、前記シード層の上面に取り外し可能なフィルムを付着するステップと、表面に第１の端子が設けられる第１の電子部品を前記キャビティの内部に挿入し、前記取り外し可能なフィルムに前記第１の電子部品を付着した後、前記キャビティと前記第１の電子部品との間の間隙に充填材を充填して前記第１の電子部品を固定するステップと、前記第１の電子部品が固定された後、前記取り外し可能なフィルムを除去するステップと、前記取り外し可能なフィルムが除去された前記シード層をパターニングして第１の回路パターン及び第２の回路パターンを形成するステップと、前記取り外し可能なフィルムが除去された前記第１の端子の表面に第１の表面処理層を形成するステップと、少なくとも一つの第２の端子が少なくとも一面に設けられる第２の電子部品の前記第２の端子と前記第１の表面処理層とが電気的に接続されるように前記第２の電子部品を実装するステップと、を含む。
【００２８】
一実施形態によれば、前記第２の電子部品を実装するステップは、前記第１の表面処理層と前記第２の端子とがソルダを介して直接、接触するように行われる。
【００２９】
また、一実施形態によれば、前記第２の回路パターンの上面に第２の表面処理層を形成するステップをさらに含み、前記第１の表面処理層及び前記第２の表面処理層の上面は、同じ水平面上に存在し、前記第２の電子部品を実装するステップは、前記第１の表面処理層及び前記第２の表面処理層が、ソルダを介して前記第２の端子と直接、接触するように行われる。
【００３０】
また、一実施形態によれば、前記第２の端子の下面に第３の表面処理層を形成するステップをさらに含み、前記第２の電子部品を実装するステップは、前記第３の表面処理層が、ソルダを介して前記第１の表面処理層と直接、接触するように行われる。
【００３１】
一実施形態によれば、前記第１の表面処理層は、金ベースＳＦコーティング層である。
【発明の効果】
【００３２】
本発明によれば、多層基板構造物において異なる層に設けられる複数の電子部品どうしを直接、接続することにで、電子部品間の経路を最小化して信号損失を減少させ、内部抵抗を減少させる効果が得られる。
【００３３】
また、従来に比べて、工程を簡素化し、製造効率を向上させる効果を奏する。
【図面の簡単な説明】
【００３４】
【図１】本発明の一実施形態による電子部品が実装された基板構造を概略的に示す断面図である。
【図２ａ】本発明の他の実施形態による電子部品が実装された基板構造の製造方法を概略的に示す工程断面図である。
【図２ｂ】本発明の他の実施形態による電子部品が実装された基板構造の製造方法を概略的に示す工程断面図である。
【図２ｃ】本発明の他の実施形態による電子部品が実装された基板構造の製造方法を概略的に示す工程断面図である。
【図２ｄ】本発明の他の実施形態による電子部品が実装された基板構造の製造方法を概略的に示す工程断面図である。
【図２ｅ】本発明の他の実施形態による電子部品が実装された基板構造の製造方法を概略的に示す工程断面図である。
【図２ｆ】本発明の他の実施形態による電子部品が実装された基板構造の製造方法を概略的に示す工程断面図である。
【図３】本発明の他の実施形態による電子部品が実装された基板構造を概略的に示す断面図である。
【図４ａ】本発明のさらに他の実施形態による電子部品が実装された基板構造の製造方法を概略的に示す工程断面図である。
【図４ｂ】本発明のさらに他の実施形態による電子部品が実装された基板構造の製造方法を概略的に示す工程断面図である。
【図４ｃ】本発明のさらに他の実施形態による電子部品が実装された基板構造の製造方法を概略的に示す工程断面図である。
【図４ｄ】本発明のさらに他の実施形態による電子部品が実装された基板構造の製造方法を概略的に示す工程断面図である。
【図４ｅ】本発明のさらに他の実施形態による電子部品が実装された基板構造の製造方法を概略的に示す工程断面図である。
【図４ｆ】本発明のさらに他の実施形態による電子部品が実装された基板構造の製造方法を概略的に示す工程断面図である。
【図４ｇ】本発明のさらに他の実施形態による電子部品が実装された基板構造の製造方法を概略的に示す工程断面図である。
【発明を実施するための形態】
【００３５】
以下、本発明の好適な実施の形態を図面を参考して詳細に説明する。次に示される各実施の形態は、当業者に対し本発明の思想が十分に伝達できるようにするために例として挙げられるものである。従って、本発明は以下に示す各実施の形態に限定されることなく、他の形態で具体化することができる。そして、図面において、装置の大きさ及び厚さなどは便宜上誇張して表現することがある。明細書全体に渡る同一の参照符号は、同一の構成要素を示している。
【００３６】
本明細書で使われた用語は、実施形態を説明するためのものであって、本発明を制限しようとするものではない。本明細書において、単数形は特別に言及しない限り複数形も含む。明細書で使われる「含む」とは、言及された構成要素、ステップ、動作及び／又は素子は、一つ以上の他の構成要素、ステップ、動作及び／又は素子の存在または追加を排除しないことに理解されたい。
【００３７】
図１は、本発明の一実施形態による電子部品が実装された基板構造１００を概略的に示す断面図である。
【００３８】
図１に示すように、本発明の一実施形態による電子部品が実装された基板構造１００は、基板１１０、第１の回路パターン１４１、第２の回路パターン１４２、第１の電子部品１２０、第２の電子部品１６０、めっき端子１４５及び充填材１３０を含む。
【００３９】
まず、基板１１０は、通常の絶縁材料によってプレート形状に設けられる。
【００４０】
基板１１０は、金属材料から成り、その表面に絶縁層が設けられる。
【００４１】
また、基板１１０は、本発明の一実施形態による電子部品が実装された基板構造１００において通常のコア層の役割を遂行する。
【００４２】
基板１１０の一領域には、基板１１０の上面と下面とを貫くキャビティが設けられる。このキャビティには、第１の電子部品１２０が内蔵される。
【００４３】
また、基板１１０の一面または両面には、導電性材料から成る回路パターンが設けられる。説明の便宜上、ここでは基板１１０の上面に設けられた回路パターンを第１の回路パターン１４１及び第２の回路パターン１４２と称し、基板１１０の下面に設けられた回路パターンを第３の回路パターン１４３及び第４の回路パターン１４４と称することにする。
【００４４】
前述のように、基板１１０のキャビティには、第１の電子部品１２０が内蔵される。
【００４５】
第１の電子部品１２０には、各種の能動素子、受動素子などが挙げられる。図面では、第１の電子部品１２０が受動素子、特に、いわゆるＭＬＣＣと称されるキャパシタの場合を例として示す。
【００４６】
第１の電子部品１２０の外面には、外部と電流または信号などをやりとるように第１の端子１２１が設けられる。
【００４７】
このような第１の電子部品１２０をキャビティに内蔵するにあって、図１に示すように、第１の電子部品１２０の一面と基板１１０の一面とは同じ水平面上に位置されるようにする。
【００４８】
一方、キャビティと第１の電子部品１２０との間の間隙には、充填材１３０が満たされ、第１の電子部品１２０がキャビティの内部に安定して固定されるようにする。
【００４９】
充填材１３０には、プラグインキ（ｐｌｕｇ  ｉｎｋ）が挙げられる。
【００５０】
また、第１の電子部品１２０の第１の端子１２１には、めっき端子１４５が設けられる。
【００５１】
このめっき端子１４５は、前述の第１の回路パターン１４１及び第２の回路パターン１４２を形成する工程において共に設けられる。
【００５２】
また、めっき端子１４５は、第２の回路パターン１４２と同じ高さに設けられる。
【００５３】
次に、第２の電子部品１６０としては、各種の能動素子、受動素子などが挙げられるが、図面では、第２の電子部品１６０がアクティブダイ（ａｃｔｉｖｅ  Ｄｉｅ）、集積回路チップ（ＩＣ  Ｃｈｉｐ）などの能動素子の場合を例として示す。
【００５４】
このような能動素子の場合、一面に複数の外部接続端子が設けられる。このような外部接続端子を、ここでは、第２の端子１６１と称す。
【００５５】
前述の第１の電子部品１２０のめっき端子１４５と第２の電子部品１６０の第２の端子１６１とは、直接、接続される。
【００５６】
めっき端子１４５と第２の端子１６１とは、ソルダ１７０を介して直接、接触される。
【００５７】
すなわち、第２の端子１６１及びめっき端子１４５のうち、少なくともいずれか一つに、ソルダペーストを塗布した状態で、第２の端子１６１とめっき端子１４５とが隣接するようにしながら、リフロー工程を行って、第２の端子１６１とめっき端子１４５とを物理的に結合させると共に電気的に導通させる。
【００５８】
また、第２の電子部品１６０が、第１の電子部品１２０だけでなく第２の回路パターン１４２などにも電気的に接続される必要がある。そのため、本発明の一実施形態による電子部品が実装された基板構造１００では、めっき端子１４５と第２の回路パターン１４２の高さが同一に設けられ、第２の端子１６１が、めっき端子１４５と結合されると共に第２の回路パターン１４２にも結合される。
【００５９】
これによって、異なる層に設けられる複数の電子部品が直接、接続されるようになる。また、電子部品間の経路が最小化され、信号損失が減少され、内部抵抗による各種問題を解決することができる。
【００６０】
また、従来には、電子部品間の電気的接続を各種ビアや導電パターンなどを用いてしなければならなかったため、工程数が増加するという不都合があった。本発明の一実施形態による電子部品が実装された基板構造１００では、そのような問題点を解決することができる。
【００６１】
ここでは、基板１１０の一面に設けられた回路パターンを、第１の回路パターン１４１と第２の回路パターン１４２とに区分したが、第２の回路パターン１４２は、第２電子部品１６０の第２の端子１６１に直接、接触されるパターンを意味する。
また、第１の回路パターン１４１は、第２電子部品１６０の第２の端子１６１に直接、接触されず、場合によって、絶縁材料が、絶縁部１５０に塗布されて絶縁性が確保されるパターンを意味する。
【００６２】
ただ、これは、説明及び理解の便宜のためにされたものであって、本発明の権利範囲を限定することに解釈されるものではない。
【００６３】
一実施形態によれば、第２の電子部品１６０の第２の端子１６１と、めっき端子１４５とが結合された状態で、第２の電子部品１６０及び結合部を保護すると共に、該結合を堅固に支持するために、モールディング部１８０がさらに設けられてもよい。
【００６４】
モールディング部１８０は、第２の電子部品１６０と基板１１０との間の領域に絶縁樹脂を充填することによって設けられる。
【００６５】
図１に示すように、基板１１０の他面、すなわち基板１１０の下面には、第３の回路パターン１４３、第４の回路パターン１４４などの多様な回路パターンが設けられる。
【００６６】
また、図示されていないが、基板１１０には、これを貫く貫通ホールビア（Ｔｈｒｏｕｇｈ  Ｈｏｌｅ  Ｖｉａ:ＴＨＶ）や一般ビアなどが設けられ、基板１１０の一面に設けられた第１の回路パターン１４１と、基板１１０の他面に設けられた第３の回路パターン１４３とが電気的に接続される。
【００６７】
また、他の基板構造物などとの電気的接続のために、第４の回路パターン１４４の表面には、ソルダボール１７０などが設けられてもよい。
【００６８】
図２ａ〜図２ｆは、各々、本発明の他の実施形態による電子部品が実装された基板構造の製造方法を概略的に示す工程断面図である。
【００６９】
以下、図２ａ〜図２ｆを参照して、本発明の他の実施形態による電子部品が実装された基板構造の製造方法について詳記する。
【００７０】
まず、図２ａを参照すると、キャビティが設けられる基板１１０の一面に取り外し（除去）可能なフィルムＤＦ（Ｄｅｔａｃｈ  Ｆｉｌｍ）が付着され、該キャビティに第１の電子部品１２０を挿入し、その一面が取り外し可能なフィルムＤＦに付着されるようにする。
【００７１】
取り外し可能なフィルムＤＦは平面を有するため、第１の電子部品１２０の一面が基板１１０の一面と同じ水平面上に位置する。
【００７２】
次に、キャビティと第１の電子部品１２０との間の領域に、プラグインキなどの充填材１３０を充填し、該キャビティの内部で第１の電子部品１２０を堅国に固定する。
【００７３】
次に、図２ｂを参照して、取り外し可能なフィルムＤＦを除去した後、第１の回路パターン１４１、第２の回路パターン１４２及びめっき端子１４５を形成する。
【００７４】
第１の回路パターン１４１、第２の回路パターン１４２及びめっき端子１４５は、導電パターンを形成する多様な工法を適用して同時に設けることができる。
【００７５】
また、必要によって、基板１１０の他面、すなわち基板１１０の下面に第３の回路パターン１４３、第４の回路パターン１４４などが設けられてもよい。
【００７６】
また、必要によって、絶縁性の確保が必要な部分、すなわち、図２ｃに示すように第１の回路パターン１４１、第３の回路パターン１４３の全体を覆って、第４の回路パターン１４４の一部を覆う絶縁部１５０を形成する。
【００７７】
絶縁材料が、基板１１０の一面または他面の全体に一様に塗布されて硬化した後、第２の電子部品１６０が、めっき端子１４５及び第２の回路パターン１４２と結合される領域や、第４の回路パターン１４４におけるソルダ１７０のパンプが設けられる領域の絶縁材料を除去するような方式によって設けられてもよい。
【００７８】
次に、図２ｄに示すように、底面に第２の端子１６１が複数設けられた第２の電子部品１６０が実装される。
【００７９】
第２の端子１６１には、ソルダペーストが塗布されてもよい。
【００８０】
次に、図２ｅに示すように、第２の電子部品１６０の第２の端子１６１とめっき端子１４５とが、ソルダ１７０を介して直接、接触するようにして、第２の電子部品１６０が実装される。
【００８１】
すなわち、第２の電子部品１６０を基板１１０上に整列させた後、第２の端子１６１とめっき端子１４５とが対向する状態で、第２の電子部品１６０を下方に押圧する。このとき、熱風を当ててソルダペーストを硬化させることによって、第２の端子１６１とめっき端子１４５とを、物理的、電気的に結合させることができる。
【００８２】
また、必要に応じて、第２の端子１６１のうちの一部は、第２の回路パターン１４２と同様な方式によって結合されてもよい。
【００８３】
次に、図２ｆに示すように、第２の電子部品１６０と基板１１０との間の領域に絶縁樹脂を充填し、モールディング部１８０を形成する。
【００８４】
これによって、本発明の他の実施形態による電子部品が実装された基板構造１００の製造方法を適用することによって、従来においてビア形成、導電パターンの形成、電子部品の実装などの工程が必要であったことに比べて、工程を簡素化し、工程効率を向上させることができる。
【００８５】
図３は、本発明の他の実施形態による電子部品が実装された基板構造２００を概略的に示す断面図である。
【００８６】
図３に示すように、本発明の他の実施形態による電子部品が実装された基板構造２００は、基板１１０、第１の回路パターン２４１、第２の回路パターン２４２、第１の電子部品１２０、第２の電子部品１６０、第１の表面処理層２９１及び充填材１３０を含む。
【００８７】
以下、前述の実施形態と異なる点を中心に本実施形態による構成を説明し、重複する説明は省略する。
【００８８】
本実施形態によれば、基板１１０のキャビティに第１の電子部品１２０が内蔵されるが、第１の電子部品１２０の一部がキャビティの内部に挿入され、残りはキャビティの外部に突出する。
【００８９】
また、キャビティと第１の電子部品１２０との間の間隙には、プラグインキなどの充填材１３０が満たされ、第１の電子部品１２０がキャビティの内部に安定して固定される。
【００９０】
また、第１の電子部品１２０の突出した領域にも充填材１３０が設けられる。
【００９１】
第１の電子部品１２０の一面は、第２の回路パターン２４２の上面が位置する水平面と同一高さの水平面に位置する。
【００９２】
また、第１の電子部品１２０の一面には第１の端子１２１が位置し、該第１の端子１２１と第２の電子部品１６０の第２の端子１６１とが直接、接続される。
【００９３】
ただし、第１の電子部品１２０がＭＬＣＣの場合、通常、ＭＬＣＣの外部電極の表面には照度を形成するのに限界があるので、他の導電性材料との接触時に堅固に結合されないことがある。
【００９４】
したがって、本実施形態による電子部品が実装された基板構造１００では、第１の電子部品１２０の第１の端子１２１の表面に第１の表面処理層２９１が設けられる。
【００９５】
第１の表面処理層２９１は、金ベースＳＦコーティング層（Ａｕ-ｂａｓｅｄ  ＳＦ  ｃｏａｔｉｎｇ  ｌａｙｅｒ）によって具現される。
【００９６】
同様に、第２の回路パターン２４２の上面及び第２の電子部品１６０の第２の端子１６１の下面にも、各々、第２の表面処理層２９２及び第３の表面処理層２９３が設けられる。
【００９７】
第１の表面処理層２９１と第２の電子部品１６０の第２の端子１６１との間、または第１の表面処理層２９１と第２の表面処理層２９２との間には、ソルダ２７０が設けられ、これらはこのソルダ２７０を介して直接、接触する。
【００９８】
図４ａ〜図４ｇは、各々、本発明の他の実施形態による電子部品が実装された基板構造の製造方法を概略的に示す工程断面図である。
【００９９】
以下、図４ａ〜図４ｇを参照して、本発明の他の実施形態による電子部品が実装された基板構造の製造方法について詳記する。
【０１００】
ただ、前述の実施形態と異なる点を中心に本実施形態による構成を説明し、重複する説明は省略する。
【０１０１】
まず、図４ａに示すように、基板１１０の一面に金属材料から成るシード層２４０Ｓが設けられ、このシード層２４０Ｓの上面と基板１１０の他面との間が貫通してキャビティが設けられた基板１１０が提供される。
【０１０２】
次に、シード層２４０Ｓの上面に取り外し可能なフィルムＤＦを付着させ、キャビティに第１の電子部品１２０を挿入し、その一面が取り外し可能なフィルムＤＦに付着されるようにする。
【０１０３】
取り外し可能なフィルムＤＦは平面を有するため、第１の電子部品１２０の一面がシード層２４０Ｓの上面と同じ水平面上に位置される。
【０１０４】
次に、キャビティと第１の電子部品１２０との間の領域にプラグインキなどの充填材１３０を充填し、キャビティの内部で第１の電子部品１２０が堅固に固定されるようにする。
【０１０５】
次に、図４ｂに示すように、取り外し可能なフィルムＤＦを除去した後、シード層２４０Ｓをパターニングして、第１の回路パターン２４１及び第２の回路パターン２４２を形成する。
【０１０６】
第１の回路パターン２４１及び第２の回路パターン２４２は、導電パターンを形成する多様な工法によって設けられてもよい。
【０１０７】
また、必要によって、基板１１０の他面、すなわち基板１１０の下面に第３の回路パターン１４３、第４の回路パターン１４４などが設けられてもよい。
【０１０８】
また、必要に応じて、絶縁性確保が必要な部分、すなわち、図４ｃに示すように第１の回路パターン２４１及び第３の回路パターン１４３の全体を覆って、第４の回路パターン１４４の一部を覆う絶縁部１５０を形成する。
【０１０９】
次に、図４ｄに示すように、取り外し可能なフィルムＤＦが除去された第１の電子部品１２０の第１の端子１２１の表面に、第１の表面処理層２９１が設けられる。
【０１１０】
第１の表面処理層２９１は、金ベースＳＦコーティング層によって具現される。第２の回路パターン２４２の上面及び第２の電子部品１６０の第２の端子１６１の下面にも、各々、第２の表面処理層２９２が設けられる。
【０１１１】
次に、図４ｅに示すように、底面に第２の端子１６１が複数設けられる第２の電子部品１６０が実装される。
【０１１２】
第２の端子１６１の下面には、第３の表面処理層２９３が設けられてもよく、その下面にソルダベーストが塗布されてもよい。
【０１１３】
次に、図４ｆに示すように、第２の電子部品１６０の第２の端子１６１、または第３の表面処理層２９３と第１表面処理層２９１とが、ソルダ２７０を介して直接、接触するようにしながら第２の電子部品１６０が実装される。
【０１１４】
また、必要に応じて、第２の端子１６１のうちの一部は、第２の回路パターン２４２と同様な方式によって結合される。
【０１１５】
次に、図４ｇに示すように、第２の電子部品１６０と基板１１０との間の領域に絶縁樹脂を充填し、モールディング部１８０を形成する。
【０１１６】
今回開示された実施の形態はすべての点で例示であって制限的なものではないと考えられるべきである。本発明の範囲は、前記した実施の形態の説明ではなく特許請求の範囲によって示され、特許請求の範囲と均等の意味及び範囲内でのすべての変更が含まれることが意図される。
【符号の説明】
【０１１７】
１００、２００  電子部品が実装された基板構造
１１０  基板
１１１  キャビティ
１２０  第１の電子部品
１２１  第１の端子
１３０  充填材
１４１、２４１  第１の回路パターン
１４２、２４２  第２の回路パターン
１４３  第３の回路パターン
１４４  第４の回路パターン
１４５  めっき端子
１５０  絶縁部
１６０  第２の電子部品
１６１  第２の端子
１７０、２７０  ソルダ、
１８０  モールディング部
２４０Ｓ  シード層
２９１  第１の表面処理層
２９２  第２の表面処理層
２９３  第３の表面処理層
ＤＦ  取り外し可能なフィルム
【図１】
2014086721.tif 000003
【図２ａ】
2014086721.tif 000004
【図２ｂ】
2014086721.tif 000005
【図２ｃ】
2014086721.tif 000006
【図２ｄ】
2014086721.tif 000007
【図２ｅ】
2014086721.tif 000008
【図２ｆ】
2014086721.tif 000009
【図３】
2014086721.tif 000010
【図４ａ】
2014086721.tif 000011
【図４ｂ】
2014086721.tif 000012
【図４ｃ】
2014086721.tif 000013
【図４ｄ】
2014086721.tif 000014
【図４ｅ】
2014086721.tif 000015
【図４ｆ】
2014086721.tif 000016
【図４ｇ】
2014086721.tif 000017